(57)【要約】      （修正有）【課題】自転車乗車中の降雨時にロールスクリーン型ポンチョ式雨具を素早く装着ができるうえ、雨が止んだ際には容易に自転車ハンドルに取り付けた円筒型容器に収納できる雨具を提供する。【解決手段】ロールスクリーン型ポンチョ式雨具１、２を円筒型の容器７に巻き取り状態で収納して自転車ハンドルに取り付け、使用時には円筒型容器の蓋を開けてロールスクリーン型ポンチョ式雨具を引き出して装着する。【選択図】図１
0003141436.tif 000002
【実用新案登録請求の範囲】
【請求項１】
自転車ハンドルに取り付けられた円筒型容器と該円筒型容器に収納されるロールスクリーン型ポンチョ式雨具とからなる雨具であって、前項ロールスクリーン型ポンチョ式雨具は、前項円筒型容器からワンタッチで取り出し可能であり、かつワンタッチで収納可能であることを特徴とする雨具。
【請求項２】
前項スクリーンは展開された状態で前項自転車搭乗者の頭部が挿入されるための穴とフードを有し、前項スクリーンの頭部挿入用穴の前部スクリーンに張りと水平を保つための切り返しを有し、また一端部には収納時に前項円筒型容器内に巻き取られてしまわないためのタグがついたストッパーを有していることを特徴とする請求項１記載の雨具。
【請求項３】
前項自転車のハンドルにワンタッチで着脱可能な構成を有することを特徴とする請求項１または２記載の雨具。
【考案の詳細な説明】
【技術分野】
【０００１】  本考案は、自転車ハンドルに取り付けたロールスクリーン型ポンチョ式の雨具に関するものである。
【背景技術】
【０００２】  雨天時に自転車に乗るには片手で傘、もう一方の手でハンドルを握り自転車を操作する方法と、雨合羽等により身体全体を包み雨を防ぐポンチョ型雨具、また上着とズボンの組み合わせによる雨具等がある。
【考案の開示】
【考案が解決しようとする課題】
【０００３】  雨天時に片手で傘をかざして走行するのは非常に危険である。また、雨合羽等により全身を包み雨を防ぐ方法は、雨具を常に持ち歩き降雨時に自転車を止めて雨具を取り出して装着しなければならないため作業負担が掛かり雨にも濡れることになる。さらに上着とズボンの組み合わせによる雨具は、雨具を常に持ち歩き降雨時に自転車を止め一旦降りて雨具を取り出して上半身と下半身に装着するため一段と作業負担が掛かるうえ雨にも多く濡れることになる。【０００４】  本考案は上記課題を解決するのを主眼として、ワンタッチで着脱可能なロールスクリーン型ポンチョ式雨具を提供することを目的とする。
【課題を解決するための手段】
【０００５】  雨具はフード付のロールスクリーン形式とし、常時、自転車ハンドルに取り付けた円筒型容器内に巻き込んだ状態で収納する。円筒型容器からは雨具をワンタッチで出し入れ出来るようにし、使用時には円筒型容器の蓋をあけて雨具のタグを引き出して装着、収納時には円筒型容器横のボタンを押すことにより自動的に円筒型容器内に巻き取り収納されることになる。雨具をワンタッチで脱着できるため作業負担がほとんど無いうえ両手を使って安全に運転できることにより問題点を解決している。
【考案の効果】
【０００６】  上記のように、ロールスクリーン型ポンチョ式雨具を円筒型容器に収納した状態で常時ハンドルに取り付けているため、降雨時にはワンタッチで容易に装着できるうえ円筒型容器へもワンタッチで収納が可能である。
【考案を実施するための最良の形態】
【０００７】  本ロールスクリーン型ポンチョ式雨具を装着するには、自転車ハンドルに取り付けた円筒型容器のタグにより容器の蓋を開け、容器の中に巻き取られた状態で収納されたロールスクリーン型ポンチョ式雨具をタグで引き出し、引き出し後は巻取力が固定されるので、展開したスクリーンの穴に頭を通してフードを被り、スクリーンの先端部分を背中に垂らして、両手で自転車のハンドルを握り雨に濡れない状態で運転することが出来る。また、フード前面の傾斜部分への上方または下方からの風圧に対しては、円筒型容器内のロールが回転して風圧に応じて自動的にロールスクリーン型ポンチョ式雨具が引き出されて風圧を吸収するため運転に支障はない。【０００８】  ロールスクリーン型ポンチョ式雨具を収納する場合は、フードを脱ぎスクリーンの穴から頭を抜いて円筒型容器右端のつまみ型ボタンを押すことにより自動的に巻き取られ、雨具先端部のストッパーで巻取りが止まり容器に収納される。フードは前後に蛇腹状態となっているため頭を抜くとほぼ平らになり巻き取り易い状態になる。万一フード部分が十分に巻き取られない場合等には円筒型容器右端のつまみを回転させて巻き取ることも可能で収納後は容器の蓋を閉める。また、雨に濡れたロールスクリーン型ポンチョ式雨具から出る水滴は容器下部の水抜き穴から自動的に排水される。【０００９】  ジョイント板受部はビスナットで自転車ハンドルに取り付け、筒型容器のジョイント板を自転車ハンドルのジョイント板受部に差し込むとジョイント板の突起部とジョイント板受部の穴がかみ合い固定されるので、自転車の振動等で抜けることはない。さらに接続部分をビスナットで固定することも可能であるため防犯対策にも役立つ。
【実施例】
【００１０】  以下添付図面に従って実施例を説明する。１はロールスクリーン型ポンチョ式雨具を装着した際の前進部で前方からの雨を防ぐ、２は後身部になっており後方からの雨を防ぎ、フード３は頭部の雨を防ぐ。７は雨具を巻き取った状態で収納している円筒型容器で、降雨時には自転車ハンドルに取り付けた円筒型容器のカバー８のタグ４により容器の蓋を開け、容器の中に巻き取られた状態で収納されたロールスクリーン型ポンチョ式雨具をストッパー６に付いているタグで引き出し、引き出しを止めると巻取力が固定される。フード３は蛇腹方式でたたみこまれているため装着時には展開したスクリーンの穴に頭を通してこのフードを被ることになる。また切り返し５は雨具装着時に頭部前方スクリーンの張りと水平を保つためのもので、雨具装着後は両手で自転車のハンドルを握り運転する。【００１１】  ９は円筒型容器の右端に取り付けたつまみ型ボタンで、雨具収納時にこのつまみ型ボタンを押すことによりロールスクリーン型ポンチョ式雨具が自動的に巻き取られて円筒型容器に収納され、容器内に溜まった水滴は容器下部の水抜き穴１４から排水される。また万一フード部分等が十分に巻き取られない場合には円筒型容器右端のつまみを手動で回転させて巻き取り、収納後は容器の蓋を閉める。【００１２】  １０は円筒型容器を自転車ハンドルに取り付けるためのジョイント板で、自転車ハンドルに取り付けたジョイント板受部１１に差し込むことでジョイント板の突起部とジョイント板受部の穴がかみ合い固定される。また自転車ハンドル取付部はジョイント板受部との間が回転するため多種の自転車ハンドルに容易に取り付けが可能。また自転車ハンドルに取り付ける際はビスナット１３とパッキング１２で固定する。
【図面の簡単な説明】
【００１３】
【図１】運転者が自転車に搭乗して本考案によるロールスクリーン型ポンチョ式雨具を装着した状態を示す前方斜視図である。
【図２】図１に示したロールスクリーン型ポンチョ式雨具を装着した状態の側面図である。
【図３】ロールスクリーン型ポンチョ式雨具を円筒型収納容器から引き出した状態の上方から見た正面図である。
【図４】ロールスクリーン型ポンチョ式雨具を収納した円筒型収納容器を自転車ハンドルに装着した状態の上面図である。
【図５】ロールスクリーン型ポンチョ式雨具を収納した円筒型収納容器の断面図である。
【図６】ロールスクリーン型ポンチョ式雨具を少し引き出して、円筒型収納容器を自転車ハンドルから取り外した状態の上方から見た斜視図である。
【図７】ロールスクリーン型ポンチョ式雨具の円筒型収納容器を自転車ハンドルに取り付ける自転車ハンドル取付器具兼ジョイント板受部器具の側面図と断面図である。
【符号の説明】
【００１４】    １  ロールスクリーン型ポンチョ式雨具本体全身部
２  ロールスクリーン型ポンチョ式雨具本体後身部
３  フード
４  タグ
５  切り返し
６  ストッパー
７  円筒型容器
８  カバー
９  つまみ型ボタン
１０  ジョイント板
１１  ジョイント板受部
１２  パッキング
１３  ビスナット
１４  水抜き穴
【図１】
0003141436.tif 000003
【図２】
0003141436.tif 000004
【図３】
0003141436.tif 000005
【図４】
0003141436.tif 000006
【図５】
0003141436.tif 000007
【図６】
0003141436.tif 000008
【図７】
0003141436.tif 000009
【手続補正書】
【提出日】平成20年1月31日(2008.1.31)
【手続補正１】
【補正対象書類名】実用新案登録請求の範囲
【補正対象項目名】全文
【補正方法】変更
【補正の内容】
【実用新案登録請求の範囲】
【請求項１】
自転車ハンドルに取り付けられた円筒型容器と該円筒型容器に収納されるロールスクリーン型ポンチョ式雨具とからなる雨具であって、前項ロールスクリーン型ポンチョ式雨具は、前項円筒型容器から取り出し可能であり、かつ収納可能であることを特徴とする雨具。
【請求項２】
前項スクリーンは展開された状態で前項自転車搭乗者の頭部が挿入されるための穴とフードを有し、前項スクリーンの頭部挿入用穴の前部スクリーンに張りと水平を保つための切り返しを有し、また一端部には収納時に前項円筒型容器内に巻き取られてしまわないためのタグがついたストッパーを有していることを特徴とする請求項１記載の雨具。
【請求項３】
前項自転車のハンドルに着脱可能な構成を有することを特徴とする請求項１または２記載の雨具。